(57)【要約】【課題】小型化と軽量化の逆止め弁でありながら、開放状態の弁体の重心を弁座に密着する側に位置させ、しかも最大弁開度とＣｖ値を大きくし、高い加工精度を必要とすることなく加工精度のばらつきを吸収することで、優れたシール性を発揮しながら確実に弁体を開閉動作できる逆止め弁を提供する。【解決手段】一次側流路７を有するキャップ２と二次側流路９を有するボデー３内にスイング用弁体４を軸着部６を介して開閉自在に設けている。キャップ２側には、一次側流路７の口径Ｄ内に軸着部６を位置させ、スイング用弁体４は、キャップ２の流路軸Ｌに対して口径軸心Ｓを偏心させてキャップ２の内端部の突出側に設けた弁座８に当接可能に設け、ボデー３側の二次側流路９域内に、スイング用弁体４を軸着部６を支点として枢着領域Ｒを構成した。【選択図】図３
2014081069.tif 000002
【特許請求の範囲】
【請求項１】
一次側流路を有するキャップと二次側流路を有するボデー内にスイング用弁体を軸着部を介して開閉自在に設けた逆止め弁において、前記キャップ側には、一次側流路の口径内に軸着部を位置させ、前記スイング用弁体は、前記キャップの流路軸に対して口径軸心を偏心させて前記キャップの内端部の突出側に設けた弁座に当接可能に設け、前記ボデー側の二次側流路域内に、前記スイング用弁体を前記軸着部を支点として枢着領域を構成したことを特徴とする逆止め弁。
【請求項２】
前記軸着部は、前記キャップの一次側流路の口径内に突出させた突出部にヒンジピンを挿通させ、前記スイング用弁体の外周囲に略Ｌ字形状に突出させたアーム部の端部に一対の回動輪を設け、この回動輪を前記ヒンジピンに回動自在に設け、前記アーム部の係止用基端部を前記突出部に設けたストッパ部に係止させて全開状態の前記スイング用弁体を閉止可能な重心位置に保持させた請求項１に記載の逆止め弁。
【請求項３】
前記弁座は、前記キャップと前記ボデーとの螺着部の二次側寄りで、かつ前記軸着部の二次側寄りに突出形成した円端部に設けた請求項１に記載の逆止め弁。
【請求項４】
前記回動輪は、流路方向に沿って長径の楕円形又は長穴である請求項２に記載の逆止め弁。
【請求項５】
前記スイング用弁体は、前記アーム部に設けた取付板の取付穴にプレス成形したジスクの突部を嵌着してかしめて取付けた請求項１又は２に記載の逆止め弁。
【請求項６】
前記スイング用弁体は、前記アーム部に設けた取付板の取付穴にジスクの中央位置に形成したおねじ部を挿通してナットで取付けた請求項１又は２に記載の逆止め弁。
【請求項７】
一次側流路と二次側流路を有する弁本体内にスイング用弁体を軸着部を介して開閉自在に設けた逆止め弁において、一次側流路の口径内に設けた挿通部にヒンジピンを挿通し、又は弁本体にヒンジピンを挿通すると共に、アーム部とジスクを一体又は別体に設けたスイング用弁体の軸着部を配管軸方向へ移動可能で、かつ配管軸に交差する方向に回動又は揺動自在に支持して、所定の平面度を有する弁本体の弁座と前記弁体のシート面との平行度を保持させることにより、弁閉シールを行うことを特徴とする逆止め弁。
【請求項８】
前記スイング用弁体の少なくともアーム部をプレスにより成形した請求項７に記載の逆止め弁。
【請求項９】
前記弁座と前記スイング用弁体のシート面間に流体を内封させ、流体粘度を利用してシール性能を向上させた請求項１乃至８の何れか１項に記載の逆止め弁。
【請求項１０】
前記弁座又はシート面の少なくとも何れか一方に研磨加工により同心溝などの溝加工を施すことにより、前記弁座とシート面間の流体を内封させた請求項９に記載の逆止め弁。
【発明の詳細な説明】
【技術分野】
【０００１】
本発明は、軽量化と小型化に寄与し、水平配管と垂直配管の何れの使用形態でも逆止め機能と弁開機能を確実に発揮するスイング式逆止め弁に関する。
【背景技術】
【０００２】
従来、この種の逆止め弁には、次のような構造の逆止め弁が一般に使用されている。
例えば、特許文献１の逆止弁では、ボデーの上部にキャップが着脱可能に装着され、ボデー側に弁体が取付けられている。この逆止弁の組付け時には、弁体がボデー上部の開口部よりボデー内部に装入され、ヒンジピンからなる弁棒によりボデー軸受部に揺動自在に取付けられる。その後、ボデー開口部にキャップを装着して全体が一体化される。この逆止弁ではボデー側に弁座が設けられ、この弁座にヒンジピンを支点として弁体が回転して弁座を封止するようになっている。
【０００３】
特許文献２の逆止め弁では、ボデーである弁本体とふたとが、軸方向（流路方向）に２分割された構造であり、これらの弁本体、ふたにそれぞれ設けられたねじにより一体に組み立てられる。この逆止め弁では、ふたに対して弁体が設けられ、この弁体は、弁座の流路口の口径の外側にヒンジピンで揺動可能に取り付けられる。一方、ふたの流入口には弁座が取付けられており、弁体が回転したときにこの弁体が弁座を封止する。
【０００４】
これらのスイング式逆止め弁は、水平配管又は垂直配管により管路に取付けられるため、何れの使用形態でも逆止め機能を確実に発揮する必要がある。そのため、一般的には弁座が３〜５°程度傾いて形成されており、これにより水平配管時にも弁体が弁座方向に回転したときに弁閉し、配管が完全な水平でない場合にもその誤差に応じて弁閉動作しようとしている。
【０００５】
これらの逆止め弁におけるジスクは、主に鋳物で作られ、このジスクをボデーに対して位置合わせする場合、ジスクとボデー側のシール面同士を合わせておき、この状態でジスクの軸着部分を穿孔する共明け加工などを施してシール面同士のシール性を確保することが多い。
【先行技術文献】
【特許文献】
【０００６】
【特許文献１】実開平２−９４９７９号公報
【特許文献２】実開昭５７−１８１９６５号公報
【発明の概要】
【発明が解決しようとする課題】
【０００７】
特許文献１の逆止弁は、ボデー上部の開口部より弁体を内部に装入してヒンジピンで組付けた構造であるため、ボデーが大型化しバルブ全体の重量化にもつながる。弁体の組込み時には、この弁体が接触して弁座のシール面を傷つけるおそれがあるため組込みも面倒になっていた。しかも、この逆止弁が水平配管及び垂直配管に対して逆止め機能を確実に発揮するために弁座を傾けて形成すると、より大型化すると同時に組込みも困難になる。
さらに、この逆止弁では、ヒンジピン取付け用の取付穴を設ける場合、ボデーの外側からドリルで穴あけするときの加工距離が長くなるためドリルがぶれやすくなり、精度を維持しながら加工することが難しくなって逆止め機能の確保が困難となる。また、ドリルの穴あけ後にヒンジピンで取付穴をシールするためのガスケットが必要になることもある。
このように、この逆止弁では、全体の大型化、重量化に加えて、各部品の高い加工精度も要求され、部品点数、加工工数、組付け工数などが増加し、外部漏れのリスクにより動作時の精度が低下するおそれもある。
【０００８】
特許文献２の逆止め弁では、ボデーである弁本体とふたとがねじで流路方向に一体に組立て可能に設けられ、ふたに弁体が取付けられているため、弁本体に弁体を組付ける必要はない。しかし、弁体が流入口の口径の外側に取付けられているために弁開動作時の弁体の回転半径が大きくなり、これに伴って弁本体内部の容積も大きくなることからバルブ全体が大型化、重量化していた。この弁本体の大型化に伴って弁内部に残される液体量も多くなり、例えば、この逆止め弁を蒸気配管で使用した場合には弁内部の蒸気が水となって溜まり、再度蒸気が流れるときに水分を多く含んだ蒸気となって品質上の問題が生じやすい。配管のメンテナンス等で液抜きした場合には、バルブ内に残る危険流体量が多くなって事故につながるリスクも増大する。
この逆止め弁においても、特許文献１と同様に水平配管及び垂直配管に確実に対応させるために弁座を傾斜させると高い加工精度が要求され、加工工数も増加する。
【０００９】
これらのように、従来のスイング式逆止弁では、水平配管と垂直配管とに対応しつつ逆止め機能・弁開機能を有するバルブを設けるために全体が大型化・重量化していた。このため、バルブ全体を小型化・軽量化しつつ弁体を確実に開閉動作して逆止め機能と弁開機能を確実に発揮できる高精度のスイング式逆止弁の開発が望まれていた。
【００１０】
さらに、特許文献１や特許文献２の逆止め弁のジスクはアーム部分と一体に形成され、これらをロストワックスなどにより鋳物で成形した場合、ジスク部分が大型化して重量も重くなる。この場合、弁体が流体で動きにくくなり、例えば、水平配管で２次側が下がり気味であったり、配管の径方向に曲がって上方側の位置がずれるなどの施工時の配管姿勢が正常でない場合には、特に弁体動作時に悪影響を受けて漏れを生じやすくなる。
そのため、この種の逆止め弁の製作時には、ボデー側とジスク側とのシール面同士を一致させるために、共明け加工時にボデーとジスクとをあらかじめ治具で高い精度で固定する必要が生じ、加工工数もかかっていた。
その際、これらの逆止め弁は、流体の力で閉止する構造のバルブであるため、シール面に要求される加工精度も高くなるが、漏れをより小さく抑えるために加工精度を高めるとコスト増につながるという問題があった。
【００１１】
本発明は、従来の課題点を解決するために開発したものであり、小型化と軽量化の逆止め弁でありながら、開放状態の弁体の重心を弁座に密着する側に位置させ、しかも最大弁開度とＣｖ値を大きくし、高い加工精度を必要とすることなく加工精度のばらつきを吸収することで、優れたシール性を発揮しながら確実に弁体を開閉動作できる逆止め弁を提供することを目的とする。
【課題を解決するための手段】
【００１２】
上記目的を達成するため、請求項１に係る発明は、一次側流路を有するキャップと二次側流路を有するボデー内にスイング用弁体を軸着部を介して開閉自在に設けた逆止め弁において、前記キャップ側には、一次側流路の口径内に軸着部を位置させ、前記スイング用弁体は、前記キャップの流路軸に対して口径軸心を偏心させて前記キャップの内端部の突出側に設けた弁座に当接可能に設け、前記ボデー側の二次側流路域内に、前記スイング用弁体を前記軸着部を支点として枢着領域を構成した逆止め弁である。
【００１３】
請求項２に係る発明は、前記軸着部は、前記キャップの一次側流路の口径内に突出させた突出部にヒンジピンを挿通させ、前記スイング用弁体の外周囲に略3字形状に突出させたアーム部の端部に一対の回動輪を設け、この回動輪を前記ヒンジピンに回動自在に設け、前記アーム部の基端部を前記突出部に設けたストッパ部に係止させて全開状態の前記スイング用弁体を閉止可能な重心位置に保持させた逆止め弁である。
【００１４】
請求項３に係る前記弁座は、前記キャップと前記ボデーとの螺着部の二次側寄りで、かつ前記軸着部の二次側寄りに突出形成した円端部に設けた。
【００１５】
請求項４に係る前記回動輪は、回動輪は、流路方向に沿って長径の楕円形又は長穴である。
【００１６】
請求項５に係る前記スイング用弁体は、前記アーム部に設けた取付板の取付穴にプレス成形したジスクの突部を嵌着してかしめて取付け構成した。
【００１７】
請求項６に係る前記スイング用弁体は、前記アーム部に設けた取付板の取付穴にジスクの中央位置に形成したおねじ部を挿通してナットで取付けて構成した。
【００１８】
請求項７に係る発明は、一次側流路と二次側流路を有する弁本体内にスイング用弁体を軸着部を介して開閉自在に設けた逆止め弁において、一次側流路の口径内に設けた挿通部にヒンジピンを挿通し、又は弁本体にヒンジピンを挿通すると共に、アーム部とジスクを一体又は別体に設けたスイング用弁体の軸着部を配管軸方向へ移動可能で、かつ配管軸に交差する方向に回動又は揺動自在に支持して、所定の平面度を有する弁本体の弁座と弁体のシート面との平行度を保持させることにより、弁閉シールを行う逆止め弁である。
【００１９】
請求項８に係る発明は、スイング用弁体の少なくともアーム部をプレスにより成形した逆止め弁である。
【００２０】
請求項９に係る発明は、弁座とスイング用弁体のシート面間に流体を内封させ、流体粘度を利用してシール性能を向上させた逆止め弁である。
【００２１】
請求項１０に係る発明は、弁座又はシート面の少なくとも何れか一方に研磨加工により同心溝などの溝加工を施すことにより、弁座とシート面間の流体を内封させた逆止め弁である。
【発明の効果】
【００２２】
請求項１に係る発明によると、小型化と軽量化を図ることが可能となり、液溜り量を少なくできると共に、従来に比して部品点数、加工工数及び組立工数とも減少しているので、安価に量産できる。また、外径もコンパクトになるので配管時の施工性も良い。このコンパクト化によってねじ込みの回転半径が小さくなるため、保温材を設ける場合に巻きやすくなる。しかも、ボデー内径を小さくし、弁座が偏心配置されているので、弁体が開き始めの流体の流れがボデー内面で二次側とキャップ側に流れ、キャップ側の流れは、ボデー内面とシート、ジスクで形成される流路がせまいため、流速が速くボデー内部の塵埃等が即座に洗い流されて常に正常な逆止機能を保証することができる。
【００２３】
請求項２に係る発明によると、弁体の開放状態において、水平配管または垂直配管であっても重心が弁座に密着する側で働くことになるので、多少の配管のばらつきに影響を受けることなく、逆止め弁としての機能を有効に発揮することができる。また、弁体を軽量化したので、チャタリングを軽減でき、しかもヒンジピンの摺動も減り耐久性が向上する等の有用な効果を発揮する。
【００２４】
請求項３に係る発明によると、使用に際して、異物の噛みこみ等がなく、しかも、キャップとボデーのねじ込みによる変形や配管時の応力による変形が弁座に与える影響も極めて少ないなどの効果がある。
【００２５】
請求項４に係る発明によると、アーム部に設けた回動輪をプレス成形しているので、軽量化を図ることができると共に、弁座に寄り沿う側に許容範囲を大きく取り、弁体が垂れ下がるおそれがなく、確実に弁閉状態を保持する効果を有している。
【００２６】
請求項５に係る発明によると、アーム部とジスクをプレス成形しているので、軽量化と剛性化を図ることができ、最大弁開度を大きくできると共に、Ｃｖ値も大きく、全開に到達する流量が低くなり、圧力の損失が最低限で済む。また、プレスすることによって、開き始める最低圧力やクラッキング圧力を低く設定することが可能となる。
【００２７】
請求項６に係る発明によると、弁体が軽いことで、流体からの力がストッパ部に当接する衝撃も減り、この小さい衝撃力は、反力としてヒンジピンにかかることになるので、従来に比して耐久性にも寄与すると共に、二次側の閉止圧力が小さくても動かされやすく、弁座側に寄り沿いやすく、安定した性能を発揮する。
【００２８】
請求項７に係る発明によると、スイング用弁体の軸着部の配管軸方向の移動や配管軸に交差する方向への傾きを許容し、スイング用弁体が配管軸方向に移動しつつユニバーサル（自在）な動きによってボデーやキャップ並びにスイング用弁体の加工精度のばらつきを効果的に吸収する。これにより、スイング用弁体のシート面が弁座のわずかな傾きにも対応して傾倒し、平面度を確保しながら双方が平行な状態で密着シールできる。そのため高い加工精度を必要とすることなく製作することができ、水平配管時の傾きや位置ずれなどの配管姿勢が悪い場合や弁体が鋳物などにより重量がある場合にも、確実に弁体が開閉動作すると共に優れたシール性を発揮して弁閉時の漏れを確実に防止する。
バルブ製作時には、治具等によってボデーとジスクとを高精度に位置決めする必要もなく、共明け加工による加工工数が増えることもない。
【００２９】
請求項８に係る発明によると、少なくともアーム部をプレスにより成形することでスイング用弁体全体の軽量化を図ることができ、小さい流体力でも動作可能となる。これによって、加工精度による製作精度のばらつきを吸収しながら開閉動作しやすくなり、弁閉時には流体の力により密着シール状態にできる。さらに、配管施工のばらつきに対しても影響を受け難くなる。
【００３０】
請求項９に係る発明によると、弁座とスイング用弁体のシート面間に流体を介在させることで、流体粘度を利用して弁座とスイング用弁体のシート面との密着性を向上してシール性を向上できる。
【００３１】
請求項１０に係る発明によると、弁座又はシート面の少なくとも何れか一方に同心溝などの溝加工を研磨により形成することで、この表面上に形成される小さい凹凸部位に流体を内封でき、流体の粘度あるいは表面張力を利用した弁座シール機能を発揮し、流体がその粘度あるいは表面張力により溝の凹凸を乗り越えにくくなることによっても漏れが生じにくくなり流体の封止性を向上できる。
【図面の簡単な説明】
【００３２】
【図１】本発明における逆止め弁の第１実施形態を示した正面図である。
【図２】同上の逆止め弁を分離した状態を示す分離斜視図である。
【図３】図１に示した弁体が閉止した状態（閉ポジション）を示す縦断面図である。
【図４】図３に示す弁体が全開した状態（開ポジション）を示す縦断面図である。
【図５】図４のＡ−Ａ線断面図である。
【図６】図５のＢ−Ｂ線断面図である。
【図７】本発明における逆止め弁の第２実施形態を示す分離斜視図である。
【図８】図７に示した弁体が閉止した状態を示す逆止め弁の縦断面図である。
【図９】図８に示す弁体が全開した状態を示す縦断面図である。
【図１０】同上の弁体を分離して示した拡大分離斜視図である。
【図１１】本発明における逆止め弁の第３実施形態のキャップ側を示す側面図である。
【図１２】図１１の平面図である。
【図１３】図１１のスイング用弁体の拡大斜視図である。
【図１４】弁座付近を示した模式図である。
【図１５】本発明における逆止め弁の第４実施形態のキャップ側を示す模式図である。
【図１６】図１５のスイング用弁体の中央横断面図である。
【図１７】図１５のスイング用弁体の中央縦断面図である。
【図１８】本発明における逆止め弁の第５実施形態を示した中央断面図である。
【図１９】本発明における逆止め弁の第６実施形態を示した中央断面図である。
【図２０】本発明における逆止め弁の第７実施形態を示した中央断面図である。
【発明を実施するための形態】
【００３３】
以下に、本発明における逆止め弁の実施形態を図面に基づいて詳細に説明する。図１においては、本発明の逆止め弁の実施形態の第１実施形態を示し、図２においては図１の逆止め弁の分離状態、図３、図４においては、逆止め弁の縦断面図を示している。
【００３４】
図２、図３に示すように、逆止め弁本体（以下、弁本体という）１は、蓋状のキャップ２、ボデー３により構成され、円盤状のスイング用弁体４を有し、キャップ２とボデー３とは、キャップ２に形成されたおねじ５ａ、ボデー３に形成されためねじ５ｂからなる螺着部５により一体化される。弁本体１は、キャップ２とボデー３内にスイング用弁体４が軸着部６を介して開閉自在に設けられ、このスイング用弁体４はキャップ２側に取付けられている。本実施形態では、ボデー３をダクタイル鋳鉄により形成している。
【００３５】
図２に示すキャップ２は、例えばＳＵＳ材料によって小径状に形成され、このキャップ２に一次側流路７と、上記スイング用弁体４と、環状の弁座８とが設けられている。一方、ボデー３は略筒状に設けられ、このボデー３内部に二次側流路９が設けられ、この二次側流路９域内に軸着部６を支点としたスイング用弁体４の枢着領域Ｒが構成されている。
【００３６】
弁本体１において、一次側流路７からの流れに対してはスイング用弁体４が軸着部６を支点として枢着領域Ｒ内で弁開動作して流体を通過させ、二次側流路９からの流れに対してはスイング用弁体４が流体におされて弁閉状態となることで逆流を防止する。
【００３７】
図３のキャップ２側において、軸着部６の少なくとも一部は一次側流路７の口径Ｄ内に位置し、一次側流路７の口径Ｄ内に食い込んだ位置に設けられている。
この軸着部６は、突出部１０、ヒンジピン１１、アーム部１２、回動輪１３を有している。
突出部１０は、少なくともその一部が一次側流路７の口径Ｄ内に突出してこの口径Ｄ内に食い込むように略リブ状に形成され、この突出部１０にはヒンジピン１１取付け用の貫通孔１０ａが設けられている。さらに、この突出部１０には後述の係止用基端部１５を係止可能なストッパ部１６が、係止用基端部１５の対向側に設けられている。
【００３８】
図２に示すように、アーム部１２は、スイング用弁体４の外周囲に略Ｌ字形状に２ヶ所突出形成されて設けられている。アーム部１２の端部には一対の回動輪１３が設けられ、この回動輪１３は、図６に示すように流路方向に沿って、具体的には、図３に示すような弁閉方向における流路方向であり、キャップ２の流路軸（配管軸）方向に沿って長径の楕円形又は長穴に形成され、この回動輪１３内にヒンジピン１１を挿通可能になっている。図５に示すように、アーム部１２と回動輪１３とにはその形成方向に沿ってリブ部１２ａが設けられている。回動輪１３、１３の間にはこれらの間に架け渡すようにリブ状の係止用基端部１５が設けられ、この係止用基端部１５は、スイング用弁体４の回転（弁開）時にストッパ部１６に係止可能であり、特に垂直配管においてスイング用弁体４が弁開状態になったときに、このスイング用弁体４を流路内の流体が減少した際に弁体の自重で閉止可能な重心位置に保持可能な位置に形成されている。
【００３９】
本実施形態においては、スイング用弁体４の重心Ｇが、図４の破線に示したヒンジピン１１の位置よりも弁座側に位置するように設定されている。本実施形態においては、回動輪１３をヒンジピン１１の両側に設けているが、ヒンジピン１１の中央位置に設けるようにしてもよく、この場合、係止用基端部１５はヒンジピン１１の両側位置に設けられる。
【００４０】
図２において、軸着部６は、突出部１０の貫通孔１０ａにヒンジピン１１を挿通させながら、アーム部１２の回動輪１３をヒンジピン１１の両側に回動自在に取付けるようにして設けられる。これによりスイング用弁体４が軸着部６を中心に回動して弁閉又は弁開動作可能に設けられる。
そして、スイング用弁体４が弁開方向に回転したときに、アーム部１２の係止用基端部１５がストッパ部１６に係止することで、上記のように全開状態のスイング用弁体４を確実に係止可能になっている。
【００４１】
スイング用弁体４は、前記したアーム部１２、及び取付板１７、ジスク１８を有している。取付板１７は、中央に取付穴１９を有する略環状に形成され、この取付板１７に前述の２つのアーム部１２、１２が、例えばＳＵＳ３０４などのオーステナイト系ステンレスなどの金属板材を打ち抜いて成形したプレス成形により一体に形成されている。ジスク１８も、アーム部１２と同様にプレス成形により設けられ、このジスク１８の中央には取付穴１９に嵌着可能な円板状の突部２０が形成されている。図示しないが、ジスク１８にリブ、しぼり、段つけなどの加工を施すことで剛性を向上させてもよい。
図３において、スイング用弁体４は、アーム部１２に設けた取付板１７の取付穴１９にジスク１８の突部２０を嵌着してかしめにより取付けることで一体に構成される。
【００４２】
図３、図４、図６に示すように、弁座８は、キャップ２の流路軸（配管軸）Ｌに対して口径軸心Ｓが偏心した状態でキャップ２の内端部の突出側に設けられ、この弁座８にスイング用弁体４が当接可能になっている。
この場合、弁座８は、キャップ２とボデー３との螺着部５の二次側よりであって、かつ軸着部６の二次側寄りに突出形成された円端部２１に設けられている。弁座８は、一次側流路７に対して垂直方向に形成されている。
【００４３】
図１、図２に示すように、キャップ２の外周側には位置表示部２２が設けられ、弁本体１の組立て後にこの位置表示部２２を外方から視認することでスイング用弁体４の軸着部６の位置を確認できる。位置表示部２２は、例えば、キャップ鋳造時の押し湯部を利用して形成可能であり、位置表示部２２を設ける場合、径方向において軸着部６の位置に設けることで、水平配管時にはこの位置表示部２２を頂点側にしながら弁本体１を配管することで、この弁本体１が正規の状態に設置される。
【００４４】
上記のように、この実施形態の逆止め弁においては、キャップ２側にスイング用弁体４を設けていることでボデー３の大型化や重量化を回避して弁本体１全体を小型化でき、しかも、キャップ２とボデー３とを螺着部５で一体化する構造により、予めキャップ２にスイング用弁体４を取付け可能となり、弁本体１の組立ても容易になる。ヒンジピン１１取付け用の穴をボデー３に設ける必要がないために外部漏れのおそれがなく、これにより部品点数や加工工数、組付け工数などの増加も回避される。
【００４５】
しかも、図５、図６に示すように、キャップ２にリブ状の突出部１０を設け、この突出部１０にスイング用弁体４の軸着用の貫通孔１０ａ、ストッパ部１６を設けてこれらを一箇所に集中配置でき、この集中配置によって突出部１０の加工がしやすくなる。
【００４６】
スイング用弁体４を内部に有する小径のキャップ２と略筒状のボデー３とを組み合わせ、キャップ２側の一次側流路７の口径Ｄ内に軸着部６の少なくとも一部を位置させて口径Ｄに食い込ませていることで、アーム部１２を短くしてスイング用弁体４の動作時の回転半径を小さくできる。このため、二次側領域内の枢着領域Ｒも小さくなり、ボデー３の容積を最小限に抑えて液溜り量を小さくして弁本体１全体の一層の小型化・軽量化を図ることが可能になっている。
【００４７】
この場合、一次側流路７の口径Ｄ内に軸着部６を配置することでこの軸着部６が口径Ｄ内に食い込んだ状態になっているが、口径軸芯Ｓが流路軸Ｌから偏心しているため、弁閉時にスイング用弁体４が軸着部６を中心に回転したときには、口径軸芯Ｓを中心とする弁座８に対して確実にスイング用弁体４のシール部位が当接する。
キャップ２側に軸着部６を設けていることで、キャップ２に予めスイング用弁体４を取付けでき、弁座８を傷つけるリスクを減らしながら安定した弁本体１の組付けを実施可能となる。
【００４８】
弁座８がキャップ２とボデー３との螺着部５の二次側寄りで、かつ軸着部６の二次側寄りに形成されていることで、軸着部６にヒンジピン１１で水平配管時に吊り下げ状態に取付けられたスイング用弁体４の重心が、このスイング用弁体４を弁座８に密着させる方向に働いている。これにより、この水平配管時はもとより水平配管時にやや配管が傾いている場合にもその影響を受け難くなり、図３の弁閉時において、スイング用弁体４が確実に着座する。そのためスイング用弁体４を密着させるために弁座８を配管軸に対する直交面を基準に弁開側に３〜５°傾けて形成する必要がなく、弁座の加工精度が得られやすい。
【００４９】
キャップ２の突出部１０にヒンジピン１１を挿通させ、スイング用弁体４のアーム部１２の端部に設けた回動輪１３を介してスイング用弁体４をヒンジピン１１の両側に回動自在に設け、アーム部１２の係止用基端部１５をストッパ部１６に係止させて全開状態のスイング用弁体４を閉止動作可能な重心位置に保持している。
これにより、図４〜図６の弁開時においては、ボデー３の形状や大きさなどに影響を受けることなくキャップ２のストッパ部１６とアーム部１２の係止用基端部１５との関係で開度制限を高い精度で設定することが可能となり、水平配管に加えて図示しない垂直配管の場合でも、通常時には図４の状態から図３の閉止状態まで確実にスイング用弁体４を戻すことができる。
【００５０】
この場合、図６に示すように、回動輪１３を流路方向に沿って長径の楕円形又は長穴に設けていることで、スイング用弁体４が楕円形又は長穴の長軸方向に動作可能となるため、流路の口径半径方向へのズレを少なくし、かつ弁開閉時の動作がスムーズになって確実に図３の弁閉状態まで動作するようになっている。
【００５１】
これらのスイング用弁体４のアーム部１２やジスク１８をプレス成形で製作できるため、これらの軽量化を図りつつ高精度に形成でき、薄肉状に形成することでチャタリングを防止しながら最大弁開度を大きくし、Ｃｖ値も向上できる。
【００５２】
図７〜図９においては、本発明における逆止め弁の第２実施形態を示しており、図１０においては、この実施形態における逆止め弁本体３０のスイング用弁体３１を示している。なお、この実施形態以降において、上記実施形態と同一部分は同一符号によってあらわし、その説明を省略する。
【００５３】
図７において、弁本体３０は、スイング用弁体３１、アーム部３２、ジスク３３を有し、これらがおねじ部３４、ナット３５により一体化される。アーム部３２には取付板３６が設けられており、この取付板３６に取付穴３７が形成されている。一方、ジスク３３の中央位置に取付穴３７に挿入可能なおねじ部３４が形成されている。
【００５４】
このスイング用弁体３１では、図１０に示すように、取付板３６の取付穴３７におねじ部３４を挿通させ、この状態でワッシャ３８を取付け、ナット３５をおねじ部３４に螺着することで取付板３６にジスク３３を取付けるようにしたものである。
このようにナット３５でジスク３３を取付板３６に取付けることもでき、これにより弁本体３０が大型である場合におねじ部３４を長くすることで弁開時のストッパを兼ねている場合に対して、このおねじ部３４の長さを最小にして重心Ｇの位置を弁座８側によせることでスイング用弁体３１をより軽量化でき、安定した逆止め機能と弁開機能とを発揮できる。しかも組立ても簡単である。
【００５５】
この弁本体３０の場合にも、図８の弁閉状態においてはスイング用弁体３１が確実に弁座８に着座して漏れを防止でき、チャタリングも防ぐことが可能となる。
一方、図９の弁開状態においては、弁本体３０全体を小型化できるにもかかわらず、最大弁開度を大きくしてＣｖ値を確保でき、水平配管又は垂直配管の何れの場合でもこの弁開状態から弁閉状態までスイング用弁体３１が確実に復帰する。
【００５６】
図１１、図１２においては、本発明における逆止め弁の第３実施形態のキャップ側を示している。
この実施形態では、図１、図２の一次側流路７を有するキャップ２と二次側流路９とを有するボデー３により構成される弁本体内にスイング用弁体４０が軸着部６を介して開閉自在に設けられ、図１１、図１２に示すように一次側流路７の口径内におけるキャップ２に挿通部４１が設けられ、この挿通部４１にヒンジピン１１が挿通されている。このヒンジピン１１は、後述する図１９（第６実施形態）や図２０（第７実施形態）のように、ボデー３に挿通されていてもよい。また、キャップ２に設ける挿通部４１は、前述の第１実施形態の突出部１０の貫通孔１０ａに相当するものである。
【００５７】
図１３において、スイング用弁体４０はアーム部４２とジスク４３とを有し、これらアーム部４２とジスク４３とは一体又は別体に設けられることが可能であり、この実施形態ではこれらは別体に設けられている。この場合、少なくともアーム部４２はプレスにより成形されることが望ましく、この実施形態ではアーム部４２、ジスク４３は何れもプレス成形で形成され、これらが一体化されている。プレス成形の場合、スイング用弁体４０としたときに全体を薄くして軽量に製作でき、小さい流体力でも確実に開閉動作するようになり、更には、後述する弁体の移動や回動などを円滑に行うことができ、確実に弁閉シールを行うことができる。
キャップ２の弁座（弁座面）８やスイング用弁体４０のシート面４５は、予め、所定の平面度に加工されている。所定の平面度とは、弁閉状態において、弁座面８とシート面４５とが平行度が保持された状態で当接した際、液体が漏れる隙間の無い状態が得られる平面状態をいう。
【００５８】
軸着部６は、図１１に示すように配管軸Ｐ方向に移動可能で、かつ、図１２、図１３に示すように配管軸Ｐに交差する方向に回動又は揺動自在にヒンジピン１１で支持される。ここで、配管軸Ｐに交差する方向とは、図１２（ａ）に示す配管軸Ｐの直交方向（図の上下方向）であり、図１２（ｂ）や図１２（ｃ）には、矢印方向に回動または揺動（傾倒ともいう）する状態を示している。これによりキャップ２の弁座８とスイング用弁体４０に形成される弁座シール用のシート面４５との平行度が保持され、弁座８に対してシート面４５が確実にシールするようになっている。その際、スイング用弁体４０は、図１１において上下方向に移動することが防がれている。
【００５９】
具体的には、図１１（ａ）に示すように、アーム部４２に形成されるヒンジピン穴である回動輪１３が、前述したように流路方向に沿って長径の楕円形又は長穴に形成され、この回動輪１３に円柱状のヒンジピン１１が挿通していることで軸着部６には遊びが設けられる。この遊びを介して、バルブ毎にわずかに異なるおそれのある弁座の平面度に対応でき、弁閉時の密着性を発揮することができる。この場合、スイング用弁体４０が配管軸Ｐに交差する方向に傾倒するときの角度が、弁座の配管軸Ｐに対する角度と同等以上になるように、回動輪１３の長さ方向の形状が設定されている。
【００６０】
この場合、弁座８とシート面４５との平面度に加えて、これらの平行状態の確保が必要になる。すなわち、弁座８とシート面４５との絶対的な平面度、及び相対的な平行度によりシール性が確保される。平行度を確保するためには、通常は共明け加工、具体的には弁体を弁座に密着させた状態でヒンジピンの貫通孔を弁体と弁本体（ボデー）に一度に加工する必要があるが、本発明の逆止め弁の場合にはこのような共明け加工を必要とすることなく、弁本体を組み立てるだけで弁座８とシート面４５との平行度を得ることができる。
なお、スイング弁本体４０の配管軸Ｐ方向への移動は、ヒンジピン１１の位置に対する弁座シール面の位置ずれに対応するために必要になる。
【００６１】
上記の構成により、スイング用弁体４０全体が配管軸Ｐ方向に移動可能となり、図１１（ａ）に示したように弁座８とシート面４５とが離間することが可能になる。
そして、図１２（ｂ）及び図１３（ｂ）に示すように、図１２（ａ）、図１１（ａ）の状態から、スイング用弁体４０が配管軸Ｐの交差方向に回動又は揺動自在となる。図１３（ａ）は、図１２（ｂ）におけるスイング用弁体の動作状態、図１３（ｂ）は図１２（ｃ）におけるスイング用弁体の動作状態をそれぞれ示しており、各図に示すように、スイング用弁体４０は、回動又は揺動によって実線から二点鎖線の状態まで配管方向に交差する方向に傾くことが可能になる。
【００６２】
ヒンジピン１１と挿通部４１との間にも適度の隙間が設けられていてもよく、この場合にも上記と同様に軸着部６が配管軸Ｐ方向へ移動可能で、かつ配管軸Ｐの交差方向に回転又は揺動自在に支持可能となる。このような隙間と遊びとを併用することで、スイング用弁体４０の軸着部６に対する可動領域をより大きくでき、加工精度のばらつきを効果的に吸収することが可能となる。
【００６３】
さらに、この実施形態の逆止め弁では、弁座８とスイング用弁体４０のシート面４５間に流体を内封させることで、流体粘度を利用してシール性能が向上する。
この場合、図１４に示すように、弁座８に研磨加工（ラップ）により同心溝などの溝部４６を溝加工し、この溝部４６に弁座８とシート面４５間の流体を内封させるようにした。溝部４６は、弁座８側に限られることはなく、シート面４５側に設けることもでき、これらの少なくとも何れか一方に設けることが可能である。
【００６４】
この逆止め弁において、１次側圧力が上昇して流体が流れようとした場合には、流体の力によりスイング用弁体４０が配管軸Ｐ方向にスライドするように移動し、ヒンジピン１１を支点に開方向に回転して図１１（ｂ）に示した開ポジションまで動作する。この状態で２次側圧力が上昇したときには、スイング用弁体４０がヒンジピン１１を支点に閉方向に回転して閉ポジションまで戻る。このとき、スイング用弁体４０が配管軸Ｐ方向にスライド移動し、配管軸Ｐに交差する方向に回動又は揺動することで、弁体の自重や重心位置に依存することなく流体の力を利用してシート面４５を弁座８に平行状態に保持させた状態で閉動作できる。
【００６５】
このスイング用弁体４０の動作により、逆止め弁の各部品の加工時に、シート面４５からヒンジピン１１までの位置、挿通部４１の傾き及び穴径などの加工精度のばらつきが生じたとしても、このばらつきを許容しなから弁座８にシート面４５を密着させて高シール性を発揮できる。
【００６６】
しかも、弁閉時には、弁座８とシート面４５の溝部４６と間に流体が内封されることにより、この流体自体がシール材として機能し、流体の粘性あるいは表面張力により弁座８とシート面４５との間の間隙が塞がれる。この表面張力は弁座シール性に必須ではなく、液体のシールに有効となる。逆止め弁内部が流体で満たされていたとしても、粘性あるいは表面張力は同心溝である溝部４６内に保持され、破壊されることはない。
さらに、流体が有する粘度によっても弁座８とシート面４５とが密着し、より封止性が向上する。
【００６７】
第３実施形態の逆止め弁（図１４の弁体）を用いて弁閉時における弁座とシート面との密着性に関する試験を行った。
供試品の逆止め弁の呼び径は、１／２インチと１インチの２種類とし、逆止め弁の向きは、図３の状態から時計回りに９０°、ボデー３が下、キャップ２が上を向くまで回転し、その過程においてシート面が弁座から離れる位置を確認した。
弁座とシートとの間に水も油（ダクタイル鋳鉄に用いられる防錆油など）も内封されない逆止め弁では、ヒンジピンの鉛直下からスイング弁体の重心Ｇが二次側流路側に外れた位置で、シート面は弁座から離れた。
次に、弁座とシートとの間に水道水を内封した逆止め弁では、１／２インチでは９０°回転し終えた状態でも、２〜３秒間は弁座とシート面とが離れない程度の密着性を有することが確認された。１インチでは、１／２インチほどではないものの、略同様の密着性を有することが確認された。
また、弁座とシートとの間に上述の油（水道水よりも粘性を有する）を内封した逆止め弁では、水道水を内封した場合よりも長い時間（例えば、１分以上）、弁座とシート面とが離れない程度の密着性を有することが確認された。
【００６８】
図１５においては、本発明の逆止め弁の第４実施形態を示している。この逆止め弁は、前記第３実施形態の逆止め弁に比較して大口径のバルブとなっている。スイング用弁体５０は鋳物で成形され、アーム部３２、ジスク５１を有している。アーム部３２には取付板３６が設けられ、この取付板３６には取付穴３７が設けられている。アーム部の回動輪１３は流路方向に沿って長径の楕円形又は長穴により形成され、この回動輪１３を介してヒンジピン１１で挿通部４１に軸着される。
【００６９】
図１６に示すように、ジスク５１にはおねじ部５２が設けられ、さらにこのおねじ部５２に続けて弁体部位との間に軸部５３が設けられる。軸部５３は、取付穴３６よりもやや小径に設けられ、軸部５３の長さは取付板３６の肉厚よりも大きく形成されている。
おねじ部５２、軸部５３はアーム部３２の取付穴３７に挿入され、ワッシャ３８を介してナット３５がおねじ部５２に螺着されることで、ジスク５１がアーム部３２に取付けられる。
【００７０】
このように、ジスク５１に軸部５３を設けたことで、ナット３５の螺着時にはこのナット３５とジスク５１との間に取付板３６が締め付けられることがなく、ジスク５１は、軸部５３が取付穴３７に遊嵌された状態となる。
【００７１】
そのため、スイング用弁体５０は、回動輪１３を介して図１５（ａ）から図１５（ｂ）の状態まで配管軸方向に移動可能となり、弁体動作時に弁座８とジスク５１のシート面５５とが配管軸方向に離れることが可能になる。
さらに、軸部５３が取付穴３７に遊嵌され、この軸部５３の長さが取付板３６の肉厚よりも大きいことから、スイング用弁体５０は、配管軸に交差する方向に回動又は揺動可能となる。図１６（ａ）においては、図１５（ａ）の中央横断面図を示しており、スイング用弁体５０は、この図１６（ａ）の状態から図１６（ｂ）、図１６（ｃ）の状態まで配管軸に交差する方向に回動又は揺動可能となる。図１７（ａ）においては、スイング用弁体５０の中央縦断面図を示しており、スイング用弁体５０は、配管軸に対して図１７（ａ）、図１７（ｂ）の状態まで上下方向に傾倒可能となる。これらの組み合わせにより、スイング用弁体５０は、取付板３６に対してユニバーサルに動作可能となり、加工精度のばらつきがある場合、このばらつきを吸収可能になる。
【００７２】
逆止め弁の１次側圧力が上昇した場合には、スイング用弁体５０が図１５（ａ）から図１５（ｂ）の状態まで配管軸方向にスライドし、ヒンジピン１１を支点に図１５（ｃ）の開ポジションまでスムーズに回転する。一方、この状態で２次側圧力が上昇すると、スイング用弁体５０は閉ポジションまで回転しユニバーサル動作により確実に弁閉シール状態となる。
【００７３】
図１８においては、本発明の逆止め弁の第５実施形態を示している。この弁本体６０は、キャップ６１とボデー６２とを有し、キャップ６１には弁座６３が設けられている。スイング用弁体６５は、ジスク６６とアーム部６７とを有し、これらがプレス成形されて一体に形成される。アーム部６７の回動輪１３は、プレス成形により長径の楕円形又は長穴に設けられ、この回動輪１３にヒンジピン１１が挿通されていることで前記と同様に加工精度のばらつきが吸収され、弁閉時に確実にシール可能となる。
【００７４】
図１９においては、本発明の逆止め弁の第６実施形態を示している。この弁本体７０は、キャップ７１とボデー７２とを有し、ボデー７２の上部にキャップ７１が螺着により着脱可能に装着され、一次側流路７２ａと二次側流路７２ｂとを有するボデー７２内にはヒンジピン１１を介してスイング用弁体７５が取付けられたものである。スイング用弁体７５は、プレス成形により一体に形成され、このスイング用弁体７５に設けられたアーム部７６の回動輪１３は、長径の楕円形又は長穴に形成されている。
この弁本体７０では、ボデー７２にヒンジピン１１を挿通すれば、スイング用弁体７５が配管軸方向へ移動可能で、かつ配管軸に交差する方向に回動又は揺動自在に支持され、弁座７８とスイング用弁体７５のシート面７９との平行度を保持可能になり、加工精度が低い場合でもこの加工精度のばらつきが吸収され、スイング用弁体７５が確実に開閉動作する。
【００７５】
この第６実施形態におけるヒンジピン１１は、ボデー７２の二次側流路７２ｂに設置されており、スイング用弁体７５の回動輪１３は、シート面７９側ではなく二次側流路７２ｂ方向に形成されている。このスイング用弁体７５によれば、アーム部や回動輪までがプレス成形により一体に形成された弁体であっても、シート面７９の加工や研磨の際にこれらアーム部や回動輪が干渉することなく、製造が容易となる。
【００７６】
図２０においては、本発明の逆止め弁の第７実施形態を示している。この弁本体８０は、図１９の弁本体７０と同構造のキャップ７１、ボデー７２を有している。スイング用弁体８１は、アーム部８２、ジスク８３を有し、これらをそれぞれ別体にプレス成形した後に、かしめにより一体化したものである。この場合、スイング用弁体８１全体を薄くして軽量化でき、小さい流体力によっても開閉動作可能になる。
また、ジスクとアーム部とを別体に設け、少なくともアーム部をプレス成形し、このアーム部とジスクとを図１５のナット３５で接続してもよい。
【符号の説明】
【００７７】
１  弁本体
２  キャップ
３  ボデー
４、３１  スイング用弁体
５  螺着部
６  軸着部
７  一次側流路
８  弁座
９  二次側流路
１０  突出部
１１  ヒンジピン
１２、３２  アーム部
１３  回動輪
１５  係止用基端部
１６  ストッパ部
１７、３６  取付板
１８  ジスク
１９、３７  取付穴
２０  突部
３４  おねじ部
３５  ナット
４１  挿通部
４６  溝部
Ｄ  一次側流路の口径
Ｌ  流路軸
Ｒ  枢着領域
Ｓ  口径軸心
【図１】
2014081069.tif 000003
【図２】
2014081069.tif 000004
【図３】
2014081069.tif 000005
【図４】
2014081069.tif 000006
【図５】
2014081069.tif 000007
【図６】
2014081069.tif 000008
【図７】
2014081069.tif 000009
【図８】
2014081069.tif 000010
【図９】
2014081069.tif 000011
【図１０】
2014081069.tif 000012
【図１１】
2014081069.tif 000013
【図１２】
2014081069.tif 000014
【図１３】
2014081069.tif 000015
【図１４】
2014081069.tif 000016
【図１５】
2014081069.tif 000017
【図１６】
2014081069.tif 000018
【図１７】
2014081069.tif 000019
【図１８】
2014081069.tif 000020
【図１９】
2014081069.tif 000021
【図２０】
2014081069.tif 000022